(57)【要約】【課題】施工性、止水性及びオーバーフロー水の排水能力を低下させることなく、且つ清掃性を向上させつつ、洗面ボウルの下部スペースを有効に使える洗面ボウルの排水装置を提供する。【解決手段】上下端が開口する円筒状の本体と、該本体の上端から拡開し洗面ボウル裏面に着設されるフランジと、本体側面に開設され上記洗面ボウル側面に設けられたオーバーフロー孔からの溢水を導出するオーバーフロー管に連通するオーバーフロー管接続部と、上記本体下端において建物側の設備配管に連通する介装材と接続する介装材接続部とを有する排水ヘッドを備え、少なくともオーバーフロー管を接続するオーバーフロー接続アダプタを別途設ける際に必要なロックナットの長さ分、上記排水ヘッドの上記本体を短く形成した。【選択図】  図１
2007321479.tif 000002
【特許請求の範囲】
【請求項１】
上下端が開口する円筒状の本体と、
該本体の上端から拡開し洗面ボウル裏面に着設されるフランジと、
本体側面に開設され上記洗面ボウル側面に設けられたオーバーフロー孔からの溢水を導出するオーバーフロー管に連通するオーバーフロー管接続部と、
上記本体下端において建物側の設備配管に連通する介装材と接続する介装材接続部と、
を有する排水ヘッドを備え、少なくともオーバーフロー管を接続するオーバーフロー接続アダプタを別途設ける際に必要なロックナットの長さ分、上記排水ヘッドの上記本体を短く形成したことを特徴とする洗面ボウルの排水装置。
【発明の詳細な説明】
【技術分野】
【０００１】
本発明は、オーバーフロー孔が設けられた洗面ボウルにおいて、オーバーフロー孔からの溢水を導出するオーバーフロー管を洗面ボウルの排水装置を介して建物側の設備配管へ接続する洗面ボウルの排水装置に関する。
【背景技術】
【０００２】
一般家庭等に設置される洗面化粧台の洗面ボウル下部には、洗面ボウルからの排水を外部へ排水するために、排水ボウルの排水栓から建物床まで排水管が接続される。そして、この洗面ボウル下部には、扉または引出しが設けられ、排水管を目隠しすると同時に、収納空間として利用されることが多い。
【０００３】
ところが、この収納空間の中央付近に排水管等の設備配管が立設されていると、その背面側は物の出し入れがし難いので使用勝手が悪く、また、例えば大きなバケツ等を置く面積をとれないという不便さも生じる。
【０００４】
扉に代えて引出しを設ける場合は、洗面化粧台のカウンタエプロン面から設備配管までの短い距離しか使用できないので、設備配管の背面側はデッド・スペースとなってしまい、せっかくの空間を有効利用することができない。
【０００５】
この空間をできるだけ有効に利用するものとして、洗面ボウルの排水口より導出される連絡管を背方に突設して洗面化粧台の背板と洗面ボウルの排水口との間に配置し、この連絡管に連絡管の長さ寸法を調整する長さ調整部を設け、連絡管に接続される排水トラップを洗面化粧台の背板に沿って配置し、排水トラップより洗面化粧台外に導出される設備配管を洗面化粧台の背板に沿って配置する排水管取り付け構造が知られている（例えば、特許文献１参照。）。
【０００６】
それでも、洗面ボウルの排水口直下には排水トラップより上流側の連絡管が存在するので、収納空間上部では状況は改善されておらず、背の高い物等の収納に難儀することがある。
【０００７】
この部分をも有効利用するために、洗面ボウルの排水口を洗面化粧台背面側へずらして設けることも行われている（例えば、特許文献１、図１（ｂ）参照。）。これにより、扉と連絡管との距離も大きくできるので、より広い収納空間を得ることができる。
【０００８】
しかしながら、このような位置に排水口を設けることは、洗面ボウルの形状がある程度限定されることになり、意匠に対する多様なニーズに答えられない。例えば図４に示すようなサークル・ボウルと呼ばれる真円に近い形状の洗面ボウルも、そのシンプルな美しさから根強い人気があるが、この形状では、排水口を洗面化粧台背面側へずらして設けることはできない。
【０００９】
同図に示す例では、上述したように、排水ヘッド９Ａに排水エルボ１７を介して接続される排水トラップ２３を、洗面化粧台１の背板２４に沿って配置し、排水トラップ２３より洗面化粧台１外に導出される設備配管２０を洗面化粧台１の背板２４に沿って配置している。これにより、引出し２５の奥行きを十分に確保することができ、背の高い物は引出し２５の前面側に、低い物は後面側に置けば、収納空間ＳＳをある程度有効利用することが可能となる。
【００１０】
ところが、洗面ボウル３直下では、洗面ボウル３の形状からくる制限から、排水口４を収納空間ＳＳの略中央に配置せざるを得ない。そうすると、同図中破線で示すように、小物を沢山収納させるべく上下２段の引出し２５を設けて、収納空間ＳＳをさらに活用するということはできない。すなわち、これを実現するには、排水口６直下の排水ヘッド９Ａを短くすればよいのであるが、排水ヘッド９Ａにはオーバーフロー管１９が接続されるため、従来の排水ヘッド９Ａではそれが困難である。
【００１１】
従来の排水装置の一例を、図５及び図６に示す。本願では、排水口及びオーバーフロー孔から排水エルボ、排水トラップ等の介装材までを排水装置という。この例の洗面ボウルの排水装置２２は概略、主要構成部材である排水ヘッド９Ａにオーバーフロー管接続アダプタ１２を介してオーバーフロー管１９を接続する。以下これを詳述する。
【００１２】
排水ヘッド９Ａは、両端が開口した円筒状の本体９Ａａの上端が拡開してフランジ９Ａｂを形成し、これが洗面ボウル３上側から、周縁に上側パッキン１０が載置された排水口４に落とし込まれ、フランジ９Ａｂが排水口４の周縁に掛止される。本体９Ａａ側面には、後述するオーバーフロー管接続アダプタ１２のオーバーフロー管接続部１２ｃからの排水を受け入れるオーバーフロー管接続口９Ａｃが設けられる。
【００１３】
オーバーフロー管接続アダプタ１２は、両端が解放した短い円筒状の本体１２ａの上端に上側フランジ１２ｂ、下側に下側フランジ１２ｄが形成され、本体１２ａ側面には、オーバーフロー管１９と接続するオーバーフロー管接続部１２ｃが突設される。
【００１４】
オーバーフロー管接続アダプタ１２は、排水口４に落とし込まれた排水ヘッド９Ａに、下方から外挿され、ロックナット１５により、洗面ボウル３下面との間に挟装される。このとき、上側フランジ１２ｂと洗面ボウル３下面との間には下側パッキン１１が、下側フランジ１２ｄとロックナット１５との間には三角パッキン１４がそれぞれ介装され、漏水を防止している。また、洗面ボウル３の排水口周り上面とフランジ９Ａｂとの間には上側パッキン１０が介装され、止水性を向上させている。
【００１５】
オーバーフロー管１９の他端は、オーバーフロー管接続部材１８を介して洗面ボウル３に設けられたオーバーフロー孔５に接続され、これにより、オーバーフロー孔５から溢れ出た排水は、オーバーフロー管接続アダプタ１２を経由して、排水ヘッド９Ａへと導出される。
【００１６】
排水ヘッド９Ａ下端は、建物側の設備配管２０に接続される排水トラップ２３に連通する排水エルボ１７が、排水エルボ・ロックナット１６によりねじ止めされ、これにより洗面ボウル３の排水口４から設備配管２０まで連通され、排水ヘッド９Ａ内に流入した排水は、外部へと排出される。
【００１７】
最後に、排水ヘッド９Ａ内にヘアキャッチャ７，８を備える排水栓６を挿入して、この洗面ボウル３の排水構造が完成する。
【００１８】
このように従来の排水装置２２には、オーバーフロー管接続アダプタ１２及びこれをねじ止めするロックナット１５を取り付けなければならないため、排水口４直下にどうしても一定以上の直線部分を必要としていた。
【００１９】
また、上述した排水装置とは異なり、排水ヘッド本体の上端に固定用フランジを設け、この固定用フランジの上面を洗面ボウルの排水口の裏面に着設した状態で固定用フランジを排水口に固定してなる排水装置の取付構造を備える洗面ボウルが提案されている（例えば、特許文献２参照。）。
【００２０】
この提案に係る排水装置の取付構造によれば、排水ヘッドの固定用フランジがボウルの内面に露出することがないので、固定用フランジの周囲すなわち固定用フランジとボウルの排水口との間に水垢等の汚れが溜まり、使用者に不快感を与えるという不都合がなく、ボウルの排水口付近のメンテナンスが容易となる。また、排水装置をボウルの排水口に取り付ける際に、ボウルの裏面側からのみの作業で足りるため、取付作業が容易となる。
【００２１】
しかしながら、このような取付構造を用いても、オーバーフロー管の接続構造に関しては、上述した例と同様オーバーフロー管接続アダプタ及びこれをねじ止めするロックナットを取り付けなければならず、洗面ボウル下空間の有効利用に関しては改善されない。
【特許文献１】特開平５−２０２５４５号公報
【特許文献２】特開平１０−６８１５８号公報
【発明の開示】
【発明が解決しようとする課題】
【００２２】
本発明は、上述した事情を考慮してなされたもので、施工性、止水性及びオーバーフロー水の排水能力を低下させることなく、且つ清掃性を向上させつつ、洗面ボウルの下部スペースを有効に使える洗面ボウルの排水装置を提供することを目的とするものである。
【課題を解決するための手段】
【００２３】
本発明に係る洗面ボウルの排水装置は、上述した課題を解決するために、請求項１に記載したように、上下端が開口する円筒状の本体と、該本体の上端から拡開し洗面ボウル裏面に着設されるフランジと、本体側面に開設され上記洗面ボウル側面に設けられたオーバーフロー孔からの溢水を導出するオーバーフロー管に連通するオーバーフロー管接続部と、上記本体下端において建物側の設備配管に連通する介装材と接続する介装材接続部とを有する排水ヘッドを備え、少なくともオーバーフロー管を接続するオーバーフロー接続アダプタを別途設ける際に必要なロックナットの長さ分、上記排水ヘッドの上記本体を短く形成したものである。
【発明の効果】
【００２４】
本発明に係る洗面ボウルの排水装置によれば、施工性、止水性及びオーバーフロー水の排水能力を低下させることなく、且つ清掃性を向上させつつ、洗面ボウルの下部スペースを有効に使うことが可能となる。
【発明を実施するための最良の形態】
【００２５】
本発明に係る洗面ボウルの排水装置の実施の形態について、添付図面を参照して説明する。図１は、本実施形態に係る洗面ボウルの排水装置Ａの縦断面図、図２はその分解斜視図である。
【００２６】
本実施形態に係る洗面ボウルの排水装置Ａは、洗面化粧台１のカウンタトップ２に取設されたサークル・ボウルと呼ばれる真円に近い形状の洗面ボウル３に設けられる。洗面ボウル３の形状から、排水口４は、最も深い中央部に設けられる。また、洗面ボウル３の背面側の頂部から幾分下がったところにオーバーフロー孔５が設けられる。
【００２７】
排水ヘッド９は、両端が開口した円筒状の本体９ａの上端が拡開してフランジ９ｂを形成し、このフランジ９ｂが洗面ボウル３下側から、下側パッキン１１を介装して排水口４周りの洗面ボウル下面にねじ止めされる。本体９ａ側面には、オーバーフロー管１９の一端が接続されるオーバーフロー管接続部９ｃが設けられる。
【００２８】
オーバーフロー管１９の他端は、オーバーフロー管接続部材１８を介して洗面ボウル３に設けられたオーバーフロー孔５に接続され、これにより、オーバーフロー孔５から溢れ出た排水は、オーバーフロー管接続部９ｃから直接、排水ヘッド９へと導出される。
【００２９】
排水ヘッド９下端は、建物側の設備配管２０に接続される排水トラップ２３端部に連通する排水エルボ１７が、排水エルボ・ロックナット１６によりねじ止めされる介装材接続部９ｃを形成する。このように接続されることにより、洗面ボウル３の排水口４から設備配管２０まで連通され、排水ヘッド９内に流入した排水は、外部へと排出される。なお、本実施形態における排水トラップ２３及び排水エルボ１７は、本発明に係る介装材を構成する。
【００３０】
そして、本体９ａは、斯かるオーバーフロー管接続部９ｃ及び排水エルボ接続部９ｄを形成できる最小限の長さに抑えられている。
【００３１】
最後に、排水ヘッド９内にヘアキャッチャ７，８を備える排水栓６を挿入して、この洗面ボウル３の排水構造Ａが完成する。
【００３２】
本実施形態に係る洗面ボウル３の排水装置は、上述したように、排水ヘッド９に直結されるオーバーフロー管１９を主要要素として構成される。すなわち、従来の排水装置が備えるオーバーフロー管接続アダプタを備えておらず、この機能は排水ヘッド９により達成される。
【００３３】
このように、オーバーフロー管接続アダプタが不要となったことで、これに付随する三角パッキン、スリップワッシャ及びロックナットが不要となる。また、排水ヘッド９が洗面ボウル３下面に取り付けられることから上側パッキンも必要ない。したがって、部品数が減ることによりコストが低減される外、洗面ボウル３への排水装置の取付が簡単になって施工性も向上する。また、接続部分も減少することから止水性も向上する。それでいて、オーバーフロー管周りは従来のものと同様であるので、オーバーフロー水の排水性能が低下することもない。
【００３４】
加えて、排水ヘッド９のフランジ９ｂが洗面ボウル３の内面に露出することがないので、フランジ９ｂの周囲すなわちフランジ９ｂと洗面ボウル３の排水口４との間に水垢等の汚れが溜まり、使用者に不快感を与えるという不都合がなく、洗面ボウル３の排水口４付近のメンテナンスが容易となる。また、排水構造本体を洗面ボウル３の排水口４に取り付ける際に、洗面ボウル３の裏面側からのみの作業で足りるため、取付作業が容易となる。
【００３５】
そして、従来の排水構造と本実施形態に係る排水構造とを比較した図６を見れば明らかなように、本実施形態に係る排水構造が従来のものに比べ、少なくともロックナットと三角パッキン分の長さを減少させることができるので、その差ｄだけ収納空間ＳＳの上部にも余裕ができ、ここに上段の引出しを追加することも可能となって、この部分の有効活用を図ることができる。
【００３６】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００３７】
【図１】本発明に係る洗面ボウルの排水装置の実施形態を示す縦断面図。
【図２】本実施形態に係る洗面ボウルの排水装置の分解斜視図。
【図３】本実施形態に係る洗面ボウルの排水装置と従来の排水装置とを比較する図であり、（ａ）は従来のもの、（ｂ）は本実施形態のものを示す図。
【図４】従来の洗面化粧台における洗面ボウル下空間を示す図。
【図５】従来の洗面ボウルの排水装置の一例を示す縦断面図。
【図６】図５に示した洗面ボウルの排水装置の分解斜視図。
【符号の説明】
【００３８】
１  洗面化粧台
２  カウンタトップ
３  洗面ボウル
４  排水口
５  オーバーフロー孔
６  排水栓
７，８  ヘアキャッチャ
９  排水ヘッド
９ａ  本体
９ｂ  フランジ
９ｃ  オーバーフロー管接続部
９ｄ  排水エルボ接続部
９Ａ  排水ヘッド
９Ａａ  本体
９Ａｂ  フランジ
９Ａｃ  オーバーフロー管接続口
１０  上側パッキン
１１  下側パッキン
１２  オーバーフロー管接続アダプタ
１２ａ  本体
１２ｂ  上側フランジ
１２ｃ  オーバーフロー管接続部
１２ｄ  下側フランジ
１３  スリップワッシャ
１４  三角パッキン
１５  ロックナット
１６  排水エルボ・ロックナット
１７  排水エルボ
１８  オーバーフロー管接続部材
１９  オーバーフロー管
２０  設備配管
２２  排水装置
２３  排水トラップ
２４  背板
２５  引出し
Ａ  排水装置
ＳＳ  収納空間
【図１】
2007321479.tif 000003
【図２】
2007321479.tif 000004
【図３】
2007321479.tif 000005
【図４】
2007321479.tif 000006
【図５】
2007321479.tif 000007
【図６】
2007321479.tif 000008